(57)【要約】  本公開ではタッチメッセージ統合方法および端末、コンピュータ読み取り可能な記憶媒体を提供する。前記方法は、少なくとも２つの異なるタッチスクリーンのすべてのタッチ指のタッチ情報を異なるキャッシュキューに入れてキャッシュし、各キャッシュキューのヘッダーデータをインターセプトし、報告データの配列を生成し、前記報告データに基づいて前記タッチ指の状態を取得し、マルチフィンガーのタッチ・プロトコル・データにパッケージ化する。
2020525937.tif 000002
【特許請求の範囲】
【請求項１】
少なくとも２つの異なるタッチスクリーンからのすべてのタッチ指のタッチ情報を異なるキャッシュキューに入れてキャッシュするステップと、
各キャッシュキューのヘッダーデータをインターセプトし、報告データの配列を生成するステップと、
前記報告データに基づいて前記タッチ指の状態を取得し、マルチフィンガータッチ・プロトコル・データにパッケージ化するステップと、を含む
タッチメッセージ統合方法。
【請求項２】
タッチ情報はタッチ指の座標情報を含み、
少なくとも２つの異なるタッチスクリーンからのすべてのタッチ指のタッチ情報を異なるキャッシュキューに入れてキャッシュするステップは、
タッチ指の絶対座標情報およびタッチ指の所在パネルの番号情報を取得するステップと、
タッチ指の所在パネルの番号情報に基づいてタッチ指の絶対座標情報に対して変換を行って相対座標情報を取得するステップと、
相対座標情報をタッチ指の座標情報とするステップと、
を含む
請求項１に記載のタッチメッセージ統合方法。
【請求項３】
前記報告データに基づいて前記タッチ指の状態を取得し、マルチフィンガータッチ・プロトコル・データにパッケージ化するステップの後、前記方法は、
同一の入力装置により前記マルチフィンガータッチ・プロトコル・データを報告するステップをさらに含む
請求項１に記載のタッチメッセージ統合方法。
【請求項４】
前記報告データに基づいて前記タッチ指の状態を取得し、マルチフィンガータッチ・プロトコル・データにパッケージ化するステップは、
前記報告データにおける各タッチ指をトラバースすることで、追跡ＩＤ情報を生成し、前記タッチ指に対応するタッチ情報をマルチフィンガータッチ・プロトコル・メッセージにパッケージ化し、対応する追跡ＩＤ情報の後に追加するステップと、
前記報告データにおける各タッチ指の更新がいずれも完了した後に、同期イベントを報告するステップと、
を含む
請求項１に記載のタッチメッセージ統合方法。
【請求項５】
前記報告データに基づいて前記タッチ指の状態を取得し、マルチフィンガータッチ・プロトコル・データにパッケージ化するステップは、
すべてのタッチスクリーンにいずれもタッチ指がない状態から、あるタッチスクリーンに１つのタッチ指があるようになった時、「ＴＯＵＣＨ  ＤＯＷＮ」というメッセージを報告する
請求項１に記載のタッチメッセージ統合方法。
【請求項６】
前記報告データに基づいて前記タッチ指の状態を取得し、マルチフィンガータッチ・プロトコル・データにパッケージ化するステップは、
少なくとも１つのタッチスクリーンにタッチ指がある状態から、すべてのタッチスクリーンにいずれもタッチ指がないようになった時、「ＴＯＵＣＨ  ＵＰ」というメッセージを報告する
請求項１に記載のタッチメッセージ統合方法。
【請求項７】
前記報告データに基づいて前記タッチ指の状態を取得し、マルチフィンガータッチ・プロトコル・データにパッケージ化するステップの後、前記方法は、
予め設定された時間間隔に基づいて前記マルチフィンガータッチ・プロトコル・データの報告速度を制御するステップをさらに含む
請求項１に記載のタッチメッセージ統合方法。
【請求項８】
以下の公式に基づいて前記予め設定された時間間隔を計算し、
ｔ＝１／ｆ＊１０００＊１０００−Ｔｃ−Ｔｒ
ここで、ｆはタッチパネルのサンプリング周波数、Ｔｃはタッチ指のタッチ情報の取得にかかる時間、Ｔｒは前記マルチフィンガータッチ・プロトコル・データのパッケージ化と報告にかかる時間である
請求項７に記載のタッチメッセージ統合方法。
【請求項９】
少なくとも２つの異なるタッチスクリーンのすべてのタッチ指のタッチ情報を異なるキャッシュキューに入れてキャッシュするように設置される入力キャッシュモジュールと、
各キャッシュキューのヘッダーデータをインターセプトし、報告データの配列を生成するように設置されるキャッシュ・インターセプト・モジュールと、
前記報告データに基づいて前記タッチ指の状態を取得し、マルチフィンガータッチ・プロトコル・データにパッケージ化するように設置されるデータ整理及びプロトコル・パッケージ化・モジュールと、
を含むタッチメッセージ統合端末。
【請求項１０】
タッチ情報はタッチ指の座標情報を含み、
前記入力キャッシュモジュールは、
タッチ指の絶対座標情報およびタッチ指の所在パネルの番号情報を取得し、
タッチ指の所在パネルの番号情報に基づいてタッチ指の絶対座標情報に対して変換を行って相対座標情報を取得し、
相対座標情報をタッチ指の座標情報とする
ように設置される
請求項９に記載のタッチメッセージ統合端末。
【請求項１１】
同一の入力装置により前記マルチフィンガータッチ・プロトコル・データを報告する
請求項９に記載のタッチメッセージ統合端末。
【請求項１２】
前記データ整理及びプロトコル・パッケージ化・モジュールは、
前記報告データにおける各タッチ指をトラバースすることで、追跡ＩＤ情報を生成し、前記タッチ指に対応するタッチ情報をマルチフィンガータッチ・プロトコル・メッセージにパッケージ化し、対応する追跡ＩＤ情報の後に追加し、
前記報告データにおける各タッチ指の更新がいずれも完了した後、同期イベントを報告する
ように設置される
請求項９に記載のタッチメッセージ統合端末。
【請求項１３】
前記データ整理及びプロトコル・パッケージ化・モジュールは、さらに
すべてのタッチスクリーンにいずれもタッチ指がない状態から、あるタッチスクリーンに１つのタッチ指があるようになった時、「ＴＯＵＣＨ  ＤＯＷＮ」というメッセージを報告するように設置される
請求項９に記載のタッチメッセージ統合端末。
【請求項１４】
前記データ整理及びプロトコル・パッケージ化・モジュールは、さらに
少なくとも１つのタッチスクリーンにタッチ指がある状態から、すべてのタッチスクリーンにいずれもタッチ指がないようになった時、「ＴＯＵＣＨ  ＵＰ」というメッセージを報告するように設置される
請求項９に記載のタッチメッセージ統合端末。
【請求項１５】
予め設定された時間間隔に基づいて前記マルチフィンガータッチ・プロトコル・データの報告速度を制御するように設置される報告レート制御モジュールをさらに含む
請求項９に記載のタッチメッセージ統合端末。
【請求項１６】
前記報告レート制御モジュールは以下の公式に基づいて前記予め設定された時間間隔を計算し、
ｔ＝１／ｆ＊１０００＊１０００−Ｔｃ−Ｔｒ
ここで、ｆはタッチパネルのサンプリング周波数、Ｔｃはタッチ指のタッチ情報の取得にかかる時間、Ｔｒは前記マルチフィンガータッチ・プロトコル・データのパッケージ化と報告にかかる時間である
請求項１５に記載のタッチメッセージ統合端末。
【請求項１７】
メモリとプロセッサを含み、前記メモリにはコンピュータープログラムが記憶され、前記コンピュータープログラムが前記プロセッサにより実行される時、前記プロセッサは、請求項１〜８のいずれか１項に記載のタッチメッセージ統合方法を実行する
タッチメッセージ統合端末。
【請求項１８】
コンピュータープログラムが記憶され、前記コンピュータープログラムがプロセッサに実行される時、前記プロセッサは、請求項１〜８のいずれか１項に記載のタッチメッセージ統合方法を実行する
コンピュータ読み取り可能な記憶媒体。
【発明の詳細な説明】
【技術分野】
【０００１】
本公開は通信の技術分野に関するものである（これに限らない）。
【背景技術】
【０００２】
端末技術の発展に伴って、ダブルスクリーンの端末装置が現われた。関連技術におけるダブルスクリーン端末装置において、各タッチスクリーンは単独で作動し、システムは各タッチスクリーンのイベントに正常に応答できる。しかし、２つのタッチスクリーンが同時に作動すると、システムは正常に応答できなくなる。その理由は、各単独のタッチスクリーン装置はいずれもそれぞれのタッチイベントを報告し、システムはこれらプロトコルを自動的に統合することができないため、スクリーンを跨いで複数の指で同時に操作する時に、システムは複数の指を識別できず、その各指のタッチ軌跡を追跡することもできないからである。
【発明の概要】
【課題を解決するための手段】
【０００３】
本公開の１つの態様では、少なくとも２つの異なるタッチスクリーンからのすべてのタッチ指のタッチ情報を異なるキャッシュキューに入れてキャッシュするステップと、各キャッシュキューのヘッダーデータをインターセプトし、報告データの配列を生成するステップと、前記報告データに基づいて前記タッチ指の状態を取得し、マルチフィンガータッチ・プロトコル・データにパッケージ化するステップとを含むタッチメッセージ統合方法を提供する。
【０００４】
本公開のもう１つの態様では、メモリとプロセッサを含み、前記メモリにはコンピュータープログラムが記憶され、前記コンピュータープログラムが前記プロセッサに実行される時、前記プロセッサは、本公開に記載のタッチメッセージ統合方法を実行するタッチメッセージ統合端末を提供する。
【０００５】
本公開のもう１つの態様では、コンピュータープログラムが記憶され、前記コンピュータープログラムがプロセッサに実行される時、前記プロセッサは、本公開に記載のタッチメッセージ統合方法を実行するコンピュータ読み取り可能な記憶媒体を提供する。
【図面の簡単な説明】
【０００６】
図面は本公開の実施例をさらに理解するために用いられ、明細書の一部を構成し、本公開の実施例ととともに本公開の技術案の説明に用いられるものであって、本公開を制限するものではない。
【図１】図１は本公開実施例によるタッチメッセージ統合方法のプロセス概念図である。
【図２】図２は本公開のもう１つの実施例によるタッチメッセージ統合方法のプロセス概念図である。
【図３】図３は本公開実施例のダブルタッチスクリーン装置の概念図である。
【図４】図４では、本公開実施例による統合前の第１タッチスクリーンと第２タッチスクリーンのタッチ情報の概念図が示されている。
【図５】図５では、図４に示す第１タッチスクリーンと第２タッチスクリーンのタッチ情報統合後の概念図が示されている。
【図６】図６は本公開実施例によるタッチメッセージ統合端末の構造概念図である。
【発明を実施するための形態】
【０００７】
本公開が解決しようとする技術課題、技術案および有益な効果をより明瞭にするために、以下では図面と実施例を組み合わせて、本公開についてさらに詳細に説明する。なお、ここで記載されている実施例は本公開を説明するためのものに過ぎず、本公開を限定するためのものではない。
【０００８】
後続の記載において、例えば「モジュール」、「部材」または「手段」といった素子を使用するのは本公開の説明に便宜を図るために過ぎず、それ自体は特定の意味を有しない。したがって、「モジュール」、「部材」または「手段」は混合して使用することができる。
【０００９】
図１は本公開実施例によるタッチメッセージ統合方法のプロセス概念図である。
【００１０】
図１に示すように、本公開実施例に基づくタッチメッセージ統合方法はステップ１０１〜１０３を含んでもよい。
【００１１】
ステップ１０１では、少なくとも２つの異なるタッチスクリーンからのすべてのタッチ指のタッチ情報を異なるキャッシュキューに入れてキャッシュする。
【００１２】
これらタッチ情報は、タッチ指のｘとｙ座標情報ＡＢＳ＿ＭＴ＿ＰＯＳＩＴＩＯＮ＿ＸとＡＢＳ＿ＭＴ＿ＰＯＳＩＴＩＯＮ＿Ｙ、タッチ指の面積情報ＡＢＳ＿ＭＴ＿ＴＯＵＣＨ＿ＭＡＪＯＲとＡＢＳ＿ＭＴ＿ＴＯＵＣＨ＿ＭＩＮＯＲ、タッチ指の圧力情報ＡＢＳ＿ＭＴ＿ＰＲＥＳＳＵＲＥ、タッチ指の番号情報ＳＬＯＴおよびタッチ指の所在パネルの番号情報のうちの少なくとも１つを含む。
【００１３】
ステップ１０２では、各キャッシュキューのヘッダーデータをインターセプトし、報告データの配列を生成する。
【００１４】
所定時間（例えば、１０ｍｓ）毎にキャッシュキューのヘッダーデータをインターセプトすることができる。所定時間はタッチ情報の取得時間の間隔と同一であるかまたは近似することができる。したがって、各報告データ配列には同一の時点におけるすべてのタッチ指のタッチ情報が含まれている。
【００１５】
ステップ１０３では、前記報告データに基づいて前記タッチ指の状態を取得し、マルチフィンガータッチ・プロトコル・データにパッケージ化する。
【００１６】
１つ目のタッチスクリーンの１つ目のタッチ指から、各スクリーンの各タッチ指をトラバースし始めることで、追跡ＩＤ情報を生成し、対応するｘとｙ座標、面積情報、圧力情報をマルチフィンガータッチ・プロトコル・メッセージにパッケージ化して、対応する追跡ＩＤ情報の後に追加する。
【００１７】
本公開実施例のタッチメッセージ統合方法は、予め設定された時間間隔に基づいて前記マルチフィンガータッチ・プロトコル・データの報告速度を制御することをさらに含んでもよい。
【００１８】
本公開の一実施例では、以下の公式に基づいて予め設定された時間間隔ｔを計算する。
ｔ＝１／ｆ＊１０００＊１０００−Ｔｃ−Ｔｒ
【００１９】
ここで、ｆはタッチパネルのサンプリング周波数、Ｔｃはタッチ指のタッチ情報の取得にかかる時間であり、Ｔｒはマルチフィンガータッチ・プロトコル・データのパッケージ化と報告にかかる時間である。
【００２０】
図２は本公開のもう１つの実施例によるタッチメッセージ統合方法のプロセス概念図である。
【００２１】
本公開のもう１つの実施例のタッチメッセージ統合方法によれば、タッチ情報はタッチ指の座標情報を含んでもよい。図２に示すように、ステップ１０１はステップ２０１〜２０３を含んでもよい。
【００２２】
ステップ２０１では、タッチ指の絶対座標情報およびタッチ指の所在パネルの番号情報を取得する。
【００２３】
本公開の前後の文中において、絶対座標はタッチ指の対応するタッチパネルにおける座標を指す。
【００２４】
ステップ２０２では、タッチ指の所在パネルの番号情報に基づいてタッチ指の絶対座標情報に対して変換を行って相対座標情報を取得する。
【００２５】
タッチパネルの個数およびその配列組み合わせの方式に基づいて原点を有するパネルを選定した後、ｘ軸および／またはｙ軸の座標を拡張し、すべてのタッチパネルが同一の拡張後の座標系にあるようにする。
【００２６】
本公開の前後の文中において、相対座標はタッチ指の拡張後の座標系に対する座標を指す。
【００２７】
図３は本公開実施例によるダブルタッチスクリーン装置の概念図である。
【００２８】
図３を例とすると、当該マルチスクリーン装置は、第１タッチスクリーン３０１と横方向に並んで設置された第２タッチスクリーン３０２を含む。このような状況において、原点が所在するタッチスクリーンは第１タッチスクリーン３０１であってもよく、したがって、第２タッチスクリーンにあるタッチ指に対応する座標のｘ軸座標に第１タッチスクリーン３０１のｘ軸上の最大値を加える必要がある。第１タッチスクリーンと第２タッチスクリーンが縦方向に並んで設置されば、ｙ軸を拡張する必要がある。
【００２９】
ステップ２０３では、相対座標情報をタッチ指の座標情報とする。
【００３０】
本公開実施例によれば、ステップ１０２で生成された報告データの配列の大きさは変わらないものであってもよい。キャッシュキューが空であれば、当該キャッシュキューにはタッチ指のタッチ情報がないことを表す。
【００３１】
本公開実施例によれば、キャッシュキューの個数は一定であってもよく、キャッシュキューの個数は最大数量のタッチ指を同時にサポートする数量によって決められてもよい。例えば、各タッチスクリーンが最大１０本の指をサポートし、ｎ個のタッチスクリーンのデータ情報を統合する必要がある場合、キャッシュキューの個数は１０＊ｎである。
【００３２】
タッチスクリーンに中断が発生した後、ファームウェアが報告した指番号（即ち、何番目の指か）に基づいて当該指の情報を、対応するキャッシュキューに入れる。仮に各タッチスクリーンが１０本の指をサポートできれば、第１タッチスクリーン上の１０本の指をキュー０〜キュー９に入れ、第２タッチスクリーン上の１０本の指をキュー１０〜キュー１９に入れる。ここから類推すると、ｎ個目のタッチスクリーン上のｍ本目の指（１≦ｍ≦１０）をキュー（ｎ−１）＊１０＋（ｍ−１）に入れる。各指の毎回更新したデータは対応するキャッシュキュー尾部にキャッシュされる。
【００３３】
本実施例において、マルチスクリーン装置は並んで設置された第１タッチスクリーンと第２タッチスクリーンを含んでもよく、且つ第１タッチスクリーンと第２タッチスクリーンがサポートするタッチ指の数量はいずれも最大１０本である。
【００３４】
図４では、本公開実施例による統合前の第１タッチスクリーンと第２タッチスクリーンのタッチ情報の概念図が示されており、図５では、図４に示す第１タッチスクリーンと第２タッチスクリーンのタッチ情報統合後の概念図が示されている。
【００３５】
図４に示すように、第１タッチスクリーンと第２タッチスクリーンにはいずれも２本のタッチ指がある。第１タッチスクリーンと第２タッチスクリーンがサポートするタッチ指の数量は最大１０本であるため、２０個のキャッシュキューがある。キャッシュキュー０、キャッシュキュー１、キャッシュキュー１０とキャッシュキュー１１にはいずれも、タッチ指に対応するデータがあり、残りのキャッシュキューにはタッチ指に対応するデータがない。このような状況において、報告データ配列には合計２０のヘッダーデータがあり、そのうち、１６のヘッダーデータは空値である。この２０のヘッダーデータはキャッシュキューの配列順序に従って配列することができる。
【００３６】
本公開実施例によれば、キャッシュキューにおけるタッチ指の座標情報は絶対座標情報を用いることができ、相対座標情報を用いる必要はない。
【００３７】
逆に、相対座標情報を採用すれば、すべての空値をその中に表示する必要はなく、タッチ指の総数を確定した後、後続の離れたタッチ指のみに対して空値を残すことができる。例えば、１６０ｍｓの時に、第１タッチスクリーンの第１タッチ指に対応する空値は残すべきである。
【００３８】
本公開実施例によれば、ステップ１０３は、報告データにおける各タッチ指をトラバースすることで、追跡ＩＤ情報を生成し、タッチ指に対応するタッチ情報をマルチフィンガータッチ・プロトコル・メッセージにパッケージ化し、対応する追跡ＩＤ情報の後に追加するということを含んでもよい。報告データにおける各タッチ指の更新がいずれも完了した後に、同期イベントを報告する。
【００３９】
毎回、指の座標等のそのほかの情報を更新する時、１回目の報告追跡ＩＤ情報をｉｎｐｕｔ＿ｍｔ＿ｓｌｏｔイベントにパッケージ化して報告し、且つ更新を必要とする情報を、対応するマルチフィンガータッチプロトコル情報にパッケージ化してシステムへ報告する。すべての指情報の更新がいずれも完了した後、同期イベントを報告し、システムの今回の更新が完了したことを通知する。
【００４０】
すべてのタッチスクリーンにいずれもタッチ指がない状態から、あるタッチスクリーンに１つのタッチ指があるようになった時、「ＴＯＵＣＨ  ＤＯＷＮ」とうメッセージを報告する。少なくとも１つのタッチスクリーンにタッチ指がある状態から、すべてのタッチスクリーンにいずれもタッチ指がなくなった時、「ＴＯＵＣＨ  ＵＰ」というメッセージを報告する。即ち、毎回、指情報を更新し終わった後、すべてのタッチスクリーン上の指が解放されたか否かを判断し、すべての指が解放されると、「ＴＯＵＣＨ  ＵＰ」というメッセージを報告し、すべての指が既に解放されたことをシステムに伝える。
【００４１】
タッチメッセージ統合後、アップロードする必要があるデータは図５の通りである。
【００４２】
本公開実施例によるタッチメッセージ統合方法は、同一の入力装置により前記マルチフィンガータッチ・プロトコル・データを報告することをさらに含んでもよい。
【００４３】
本公開実施例は、メモリとプロセッサを含み、前記メモリにはコンピュータープログラムが記憶され、前記コンピュータープログラムが前記プロセッサにより実行される時、前記プロセッサは本公開の各実施例によるタッチメッセージ統合方法を実行する、タッチメッセージ統合端末をさらに含む。
【００４４】
なお、上記コンピュータープログラムの実施例は方法実施例と同一の技術思想に属し、その具体的な実現過程は方法実施例を参照されたい。また、方法実施例における技術特徴は装置実施例においていずれも対応する形で適用される。
【００４５】
図６は本公開実施例によるタッチメッセージ統合端末の構造概念図である。
【００４６】
図６に示すように、本公開実施例によるタッチメッセージ統合端末は、入力キャッシュモジュール６０１、キャッシュ・インターセプト・モジュール６０２、データ整理及びプロトコル・パッケージ化・モジュール６０３と報告レート制御モジュール６０４を含んでもよい。
【００４７】
入力キャッシュモジュール６０１は、少なくとも２つの異なるタッチスクリーンからのすべてのタッチ指のタッチ情報を異なるキャッシュキューに入れてキャッシュするように設置される。これらタッチ情報は、タッチ指のｘとｙ座標情報ＡＢＳ＿ＭＴ＿ＰＯＳＩＴＩＯＮ＿ＸとＡＢＳ＿ＭＴ＿ＰＯＳＩＴＩＯＮ＿Ｙ、タッチ指の面積情報ＡＢＳ＿ＭＴ＿ＴＯＵＣＨ＿ＭＡＪＯＲとＡＢＳ＿ＭＴ＿ＴＯＵＣＨ＿ＭＩＮＯＲ、タッチ指の圧力情報ＡＢＳ＿ＭＴ＿ＰＲＥＳＳＵＲＥ、タッチ指の番号情報ＳＬＯＴおよびタッチ指の所在パネルの番号情報のうちの少なくとも１つを含む。
【００４８】
キャッシュ・インターセプト・モジュール６０２は、各キャッシュキューのヘッダーデータをインターセプトし、報告データ配列を生成するように設置される。所定時間（例えば、１０ｍｓ）毎にキャッシュキューのヘッダーデータをインターセプトすることができる。所定時間はタッチ情報の取得時間の間隔と同一であるかまたは近似することができる。
【００４９】
データ整理及びプロトコル・パッケージ化・モジュール６０３は、前記報告データに基づいて前記タッチ指の状態を取得し、マルチフィンガータッチ・プロトコル・データにパッケージ化するように設置される。１つ目のタッチスクリーンの１つ目のタッチ指から、各スクリーンの各タッチ指をトラバースすることで、追跡ＩＤ情報を生成し、対応するｘとｙ座標、面積情報、圧力情報をマルチフィンガータッチ・プロトコル・メッセージにパッケージ化し、対応する追跡ＩＤ情報の後に追加する。
【００５０】
報告レート制御モジュール６０４は、予め設定された時間間隔に基づいて前記マルチフィンガータッチ・プロトコル・データの報告速度を制御するように設置される。
【００５１】
本公開の一実施例において、キャッシュ・インターセプト・モジュール６０２が生成した報告データ配列の大さは変わらないものであってもよい。キャッシュキューが空であれば、当該キャッシュキューにはタッチ指のタッチ情報がないことを表す。
【００５２】
本公開の一実施例において、入力キャッシュモジュール６０１はタッチ指の絶対座標情報およびタッチ指の所在パネルの番号情報を取得することができ、タッチ指の所在パネルの番号情報に基づいてタッチ指の絶対座標情報に対して変換を行って相対座標情報を取得し、相対座標情報をタッチ指の座標情報とすることができる。
【００５３】
データ整理及びプロトコル・パッケージ化・モジュール６０３は報告データにおける各タッチ指をトラバースすることで、追跡ＩＤ情報を生成し、タッチ指に対応するタッチ情報をマルチフィンガータッチ・プロトコル・メッセージにパッケージ化し、対応する追跡ＩＤ情報の後に追加することができる。報告データにおける各タッチ指の更新がいずれも完了した後、同期イベントを報告する。
【００５４】
毎回、指の座標等のそのほかの情報を更新する時、１回目の報告追跡ＩＤ情報をｉｎｐｕｔ＿ｍｔ＿ｓｌｏｔイベントにパッケージ化して報告し、更新を必要とする情報を、対応するマルチフィンガータッチプロトコル情報にパッケージ化してシステムへ報告し、すべての指情報の更新がいずれも完了した後、同期イベントを報告し、今回の更新が完了したことをシステムへ通知する。
【００５５】
データ整理及びプロトコル・パッケージ化・モジュール６０３は「ＴＯＵＣＨ  ＤＯＷＮ」メッセージおよび「ＴＯＵＣＨ  ＵＰ」メッセージをさらに報告することもできる。
【００５６】
本公開実施例は、コンピュータープログラムが記憶されており、前記コンピュータープログラムがプロセッサに実行される時、プロセッサは本公開の各実施例によるタッチメッセージ統合方法を実行することができるコンピュータ読み取り可能な記憶媒体をさらに提供する。
【００５７】
本公開のタッチメッセージ統合方法、端末およびコンピュータ読み取り可能な記憶媒体によれば、複数のタッチスクリーンの複数本のタッチ指のタッチ情報を同時に受信し、報告データを改めて整理、統合し、マルチフィンガータッチ・プロトコル・データにパッケージ化し、１つの入力装置により操作システムへ報告し、操作システムにクロススクリーンのすべての指の同時操作を識別および追跡させることができる。
【００５８】
以上では図面を参照して本公開の好ましい実施例を説明したが、本公開の権利範囲はこれに限定されない。当業者は本公開の範囲と実質を逸脱せずに種々の変形により本公開を実現することができ、例えば、一実施例の特徴をもう１つの実施例に用いてさらにもう１つの実施例を得ることができる。本公開の技術思想を応用してなされるいかなる補正、均等な置換と改善はいずれも本公開の権利範囲内に含まれる。
【図１】
2020525937.tif 000003
【図２】
2020525937.tif 000004
【図３】
2020525937.tif 000005
【図４】
2020525937.tif 000006
【図５】
2020525937.tif 000007
【図６】
2020525937.tif 000008
【国際調査報告】
2020525937.tif 000009
2020525937.tif 000010
2020525937.tif 000011
2020525937.tif 000012